(57)【要約】【課題】キャビネットと洗濯槽とを一体型に構成して、キャビネットのサイズを増大せずにドラムの直径を増大することで、洗濯機の全体大きさは維持しつつ洗濯容量を増大し得るドラム洗濯機を提供する。また、キャビネットと洗濯槽とを一体型に構成して、ガスケットの装着位置を変更することで、キャビネットの長さを増大せずにドラムの長さを増大し、洗濯容量を増大し得るドラム洗濯機を提供する。【解決手段】本発明のドラム洗濯機は洗濯水を保存する洗濯槽４と、洗濯槽の内部に配置されるドラム６と、モータ８の回転力をドラム６に伝達するための回転軸１６と、回転軸１６を回転可能に支持する支持プレート１２とを具備し、支持プレート１２が洗濯槽１６に固定接触しないようにされている。【選択図】図１
2006289127.tif 000002
【特許請求の範囲】
【請求項１】
洗濯水を保存する洗濯槽と、
洗濯槽の内部に配置されるドラムと、
モータの回転力をドラムに伝達するための回転軸と、
回転軸を回転可能に支持する支持プレートとを具備し、
支持プレートが洗濯槽に固定接触しないようにされている、
ことを特徴とするドラム洗濯機。
【請求項２】
さらに、洗濯槽と支持プレートを結合し洗濯水が漏れるのを防止するガスケットを具備する、ことを特徴とする請求項１に記載のドラム洗濯機。
【請求項３】
さらに、支持プレートと洗濯槽の振動を低減するための支持構造を具備する、ことを特徴とする請求項１に記載のドラム洗濯機。
【請求項４】
支持構造が、支持プレートの上側と結合されている上部支持ロッドと、上部支持ロッドに結合されているスプリングを具備する、ことを特徴とする請求項３に記載のドラム洗濯機。
【請求項５】
支持構造が、支持プレートの下側と結合されている下部支持ロッドと、下部支持ロッドに結合されているダンパを具備する、ことを特徴とする請求項３に記載のドラム洗濯機。
【請求項６】
支持構造が、さらに、支持プレートの下側と結合されている別の下部支持ロッドと、該別の下部支持ロッドに結合されている別のダンパを具備する、ことを特徴とする請求項５に記載のドラム洗濯機。
【請求項７】
下部支持ロッドが前方に延伸している、ことを特徴とする請求項６に記載のドラム洗濯機。
【請求項８】
前記別のダンパーがドラムの後側の手前に配置されている、ことを特徴とする請求項７に記載のドラム洗濯機。
【請求項９】
モータが支持プレート上に装着されている、ことを特徴とする請求項７に記載のドラム洗濯機。
【請求項１０】
洗濯をするためのドラムと、
モータの回転力をドラムに伝達するための回転軸と、
回転軸を回転可能に支持する支持プレートと、
支持機構であって、支持プレートとドラムの振動を低減すべく支持プレートに結合されている、支持機構と、を具備する、
ことを特徴とする洗濯機。
【請求項１１】
支持構造が、支持プレートの上側と結合されている上部支持ロッドと、上部支持ロッドに結合されているスプリングを具備する、ことを特徴とする請求項１０に記載の洗濯機。
【請求項１２】
支持構造が、支持プレートの下側と結合されている下部支持ロッドと、下部支持ロッドに結合されているダンパを具備する、ことを特徴とする請求項１０に記載の洗濯機。
【請求項１３】
支持構造が、さらに、支持プレートの下側と結合されている別の下部支持ロッドと、該別の下部支持ロッドに結合されている別のダンパと、ダンパーの間に配置された中心線を具備する、ことを特徴とする請求項１２に記載の洗濯機。
【請求項１４】
下部支持ロッドが前方に延伸している、ことを特徴とする請求項１３に記載の洗濯機。
【請求項１５】
前記別のダンパーがドラムの後側の手前に配置されている、ことを特徴とする請求項１４に記載の洗濯機。
【請求項１６】
モータが支持プレート上に装着されている、ことを特徴とする請求項１０に記載の洗濯機。
【発明の詳細な説明】
【技術分野】
【０００１】
本発明は、ドラム洗濯機に係るもので、詳しくは、洗濯機の全体大きさは変化せずに、ドラムの容積を最大化し得るドラム洗濯機に関するものである。
【背景技術】
【０００２】
図８は従来技術によるドラム洗濯機を示した断面図で、図９は従来技術によるドラム洗濯機を示した正面図である。
【０００３】
図示するように、従来技術によるドラム洗濯機は、外観をなすキャビネット１０２と、該キャビネット１０２の内部に装着されて洗濯水が保存される洗濯槽１０４と、該洗濯槽１０４の内部に回転自在に装着されて洗濯物の洗濯及び脱水作用を行うドラム１０６と、洗濯槽１０４の後方に装着されて、ドラム１０６と駆動軸１０８により軸支されてドラム１０６を回転させる駆動モータ１１０と、を含んで構成されている。
【０００４】
キャビネット１０２の前方には、洗濯物を出し入れする出入口１１２が開放形成され、該出入口１１２の前方には、出入口を開閉するドア１１４が開閉自在に装着される。
【０００５】
洗濯槽１０４は中空円筒状に形成されて、キャビネット１０２の出入口１１２側に連通されるように、前方に開放部１１６が開放形成され、洗濯槽１０４の両方側には、洗濯槽１０４の均衡を維持すると共に、振動を低減するための均衡錘１１８がそれぞれ装着される。
【０００６】
このとき、洗濯槽１０４の直径は、脱水作業時にキャビネット１０２への接触を避けるために、最大振動量を考慮してキャビネット１０２の幅より約３０〜４０ｍｍ程度小さく設計される。
【０００７】
ドラム１０６は円筒状であって、洗濯物を出し入れするように一方側が開放されるが、洗濯槽１０４の内部で回転されるため、洗濯槽１０４との干渉を避けるために、ドラム１０６の直径は、洗濯槽１０４の直径より約１５〜２０ｍｍ小さく設計される。
【０００８】
洗濯槽１０４の上部とキャビネット１０２の上方内側壁間には複数の支持スプリング１２０が係止され、洗濯槽１０４の下部とキャビネット１０２の下方内側壁間には、複数のダンパー１２２が係止されることで洗濯槽１０４が緩衝自在に支持される。
【０００９】
キャビネット１０２の出入口１１２と洗濯槽１０４の開放部１１６間には、洗濯槽１０４の内部に保存された洗濯水が洗濯槽１０４とキャビネット１０２間の空間に漏水される現象を防止するためのガスケット１２４が装着される。洗濯槽１０４の後方側面には、支持プレート１２６が装着され、該支持プレート１２６の後方側面に駆動モータ１１０が装着されて、該駆動モータ１１０の駆動軸１０８がドラム１０６に嵌合されることで、駆動モータ１１０の駆動力によりドラム１０６が回転される。
【発明の開示】
【発明が解決しようとする課題】
【００１０】
然るに、このように構成された従来技術によるドラム洗濯機においては、洗濯槽１０４の直径は、洗濯槽１０４とキャビネット１０２間の接触を避けるために、キャビネット１０２の内部の最大振動幅を考慮して設計され、洗濯槽１０４の内部で回転されるドラム１０６の直径も、洗濯槽１０４との干渉を避けるために、洗濯槽１０４の直径より小さく設計されるため、洗濯容量を決定するドラム１０６の直径を増大するためには、キャビネット１０２のサイズを増大すべきであるという問題がある。
【００１１】
キャビネット１０２の出入口１１２と洗濯槽１０４の開放部１１６間には、洗濯水の漏水を防止するためのガスケット１２４が装着されるため、該ガスケット１２４の装着される長さだけドラム１０６の長さは減少することで、ドラム１０６の容量も増大し難いという問題がある。
【００１２】
本発明は、このような従来の課題に鑑みてなされたもので、キャビネットと洗濯槽とを一体型に構成することで、キャビネットのサイズを増大せずにドラムの直径を増大させ、よって、洗濯機の全体大きさは維持しつつ、洗濯容量を増大し得るドラム洗濯機を提供することを目的とする。
【００１３】
キャビネットと洗濯槽とを一体型に構成することで、ガスケットの装着位置を変更させ、キャビネットの長さを増大せずにドラムの長さを増大し、洗濯容量を増大し得るドラム洗濯機を提供することを目的とする。
【課題を解決するための手段】
【００１４】
このような目的を達成するため、請求項１の発明では、洗濯水を保存する洗濯槽と、洗濯槽の内部に配置されるドラムと、モータの回転力をドラムに伝達するための回転軸と、回転軸を回転可能に支持する支持プレートとを具備し、支持プレートが洗濯槽に固定接触しないようにされている、ことを特徴とするドラム洗濯機が提供される。
【００１５】
請求項２の発明ではさらに、洗濯槽と支持プレートを結合し洗濯水が漏れるのを防止するガスケットを具備する、ことを特徴とする。
【００１６】
請求項３の発明はさらに、支持プレートと洗濯槽の振動を低減するための支持構造を具備する、ことを特徴とする。
請求項４の発明は、支持構造が、支持プレートの上側と結合されている上部支持ロッドと、上部支持ロッドに結合されているスプリングを具備することを特徴とする。
請求項５の発明は、支持構造が、支持プレートの下側と結合されている下部支持ロッドと、下部支持ロッドに結合されているダンパを具備する、ことを特徴とする。
請求項６の発明は、支持構造が、さらに、支持プレートの下側と結合されている別の下部支持ロッドと、該別の下部支持ロッドに結合されている別のダンパを具備する、ことを特徴とする。
【００１７】
請求項７の発明では、下部支持ロッドが前方に延伸している、ことを特徴とする。
請求項８の発明では、前記別のダンパーがドラムの後側の手前に配置されている、ことを特徴とする。
請求項９の発明では、モータが支持プレート上に装着されている、ことを特徴とする。
【００１８】
請求項１０の発明では、洗濯をするためのドラムと、
モータの回転力をドラムに伝達するための回転軸と、
回転軸を回転可能に支持する支持プレートと、
支持機構であって、支持プレートとドラムの振動を低減すべく支持プレートに結合されている、支持機構とを、具備する、
ことを特徴とする洗濯機が提供される。
【００１９】
請求項１１の発明では、支持構造が、支持プレートの上側と結合されている上部支持ロッドと、上部支持ロッドに結合されているスプリングを具備する、ことを特徴とする。
請求項１２の発明では、支持構造が、支持プレートの下側と結合されている下部支持ロッドと、下部支持ロッドに結合されているダンパを具備する、ことを特徴とする。
請求項１３の発明では、支持構造が、さらに、支持プレートの下側と結合されている別の下部支持ロッドと、該別の下部支持ロッドに結合されている別のダンパと、ダンパーの間に配置された中心線を具備する、ことを特徴とする。
【００２０】
請求項１４の発明では、下部支持ロッドが前方に延伸している、ことを特徴とする。
請求項１５の発明では、前記別のダンパーがドラムの後側の手前に配置されている、ことを特徴とする。
請求項１６の発明では、モータが支持プレート上に装着されている、ことを特徴とする。
【発明の効果】
【００２１】
本発明に係るドラム洗濯機は、キャビネットの内側に洗濯槽を固定することで、ドラムの大きさを最大化し、キャビネットの大きさを増大せずして、ドラムの洗濯容量を増大し得るという効果がある。
【００２２】
キャビネットの内側壁に洗濯槽の前方面を一体に形成し、洗濯槽の後方面と支持プレート間にガスケットを装着することで、ドラムの長さを増大するため、ドラムの洗濯容量を増大し得るという効果がある。
【発明を実施するための最良の形態】
【００２３】
以下、本発明の実施の形態に対し、図面に基づいて説明する。
図１は本発明に係るドラム洗濯機の第１実施形態を示した側断面図で、図２は本発明に係るドラム洗濯機の第１実施形態の縦断面図で、図３は本発明に係るドラム洗濯機の第１実施形態のケーシングの切開状態を示した側面図である。
【００２４】
図示するように、本発明に係るドラム洗濯機の第１実施形態は、洗濯機の外観をなすキャビネット２と、該キャビネット２の内部に該キャビネット２と一体に形成されて洗濯水が保存される洗濯槽４と、該洗濯槽４の内部に回転自在に装着されて洗濯物の洗濯及び脱水作用を行うドラム６と、該ドラム６の後方側壁面に装着されてドラム６を回転させるための駆動力を発生する駆動モータ８と、を含んで構成されている。
【００２５】
キャビネット２は中空六面体状に形成されて、該キャビネット２の前方には洗濯物を出し入れする出入口２０が形成され、該出入口２０の前面には、出入口を開閉するドア１０が装着される。
【００２６】
洗濯槽４は、所定直径を有して中空円筒状をなすようにキャビネット２の前方内側壁に固定されるか、キャビネット２の前方内側壁に一体に形成されることで、洗濯槽４の両方側面は、キャビネット２の側面内側壁に接触するか、又は、キャビネット２の側面内側壁から一体に延長されるように形成される。
【００２７】
このとき、洗濯槽４の両方側壁面がキャビネット２の両方内側壁に接することで、洗濯槽４の直径を大きくすることができる。
【００２８】
洗濯槽４の後方側面には支持プレート１２が装着され、該支持プレート１２と洗濯槽４の後方側壁面間にはガスケット１４が装着されることで、洗濯槽４の内部に充填された洗濯水の漏水現象を防止し得る。
【００２９】
このとき、ガスケット１４は円筒状のコルゲート管により形成されることで、一方側面は洗濯槽４の後方に固定され、他方側面は支持プレート１２の外側壁面に固定される。
【００３０】
支持プレート１２は円板状に形成され、後面には、駆動モータ８の駆動力をドラム６に伝達する回転軸１６が回転自在に嵌合されることで、駆動モータ８が軸支される。支持プレート１２とキャビネット２の内側壁間には、ドラム６を緩衝自在に支持する次のような支持機構が装着される。
【００３１】
即ち、該支持機構は、所定長さを有して支持プレート１２の上方側に連結される複数の上部支持ロッド２２と、それら各上部支持ロッド２２とキャビネット２の上方内側壁間に連結されて緩衝作用を行う各緩衝スプリング２４と、所定長さを有して支持プレート１２の下方側に連結される複数の下部支持ロッド２６と、それら各下部支持ロッド２６とキャビネット２の下方内側壁間に連結されて振動を吸収する各ダンパー２８と、から構成される。
【００３２】
このとき、緩衝スプリング２４及びダンパー２８は、ドラム６、支持プレート１２及び駆動モータ８が組立てられたアセンブリーの重さ中心付近に装着される。即ち、上部／下部支持ロッド２２、２６は、支持プレート１２からアセンブリーの重さ中心付近まで延長され、上部支持ロッド２２の端部とキャビネット２の上方内側壁間に緩衝スプリング２４が連結され、下部支持ロッド２６の端部とキャビネット２の下方内側壁間にダンパー２８が連結されることで、アセンブリーの重さ中心で緩衝自在に支持される。
【００３３】
ドラム６は中空円筒状に形成されて、洗濯槽４の内部に所定間隔を有して装着され、前方には洗濯物を出し入れする出入口３０が形成され、後方には回転軸１６が嵌合されるベースプレート３６が装着される。ドラム６の出入口３０の外周面には、ドラム６の回転時に均衡を維持するための液体バランサ３２が装着される。
【００３４】
このようなドラム６は、洗濯槽４の内部で回転されるとき、洗濯槽４との干渉を避けるために、ドラム６の直径は、ドラム６の最大振動量を考慮して、ドラム６が洗濯槽４に接触されない範囲に設計される。
【００３５】
以下、このように構成された本発明に係るドラム洗濯機の作用に対して説明する。
まず、ドラム６の内部に洗濯物を入れて電源スイッチをオンにすると、洗濯槽４の内部に洗濯水が流入される。このとき、洗濯槽４の前方はキャビネット２に固定され、後方は支持プレート１２との間にガスケット１４が連結されることで、洗濯槽６の内部に流入された洗濯水の外部に漏水される現象が防止される。
【００３６】
次いで、洗濯水の流入が終了されると、支持プレート１２の後方の駆動モータ８が駆動され、該駆動モータ８と回転軸１６により軸支されたドラム６が回転されて洗濯及び脱水作用が行われる。このとき、支持プレート１２とキャビネット２０の内側壁間に装着された緩衝スプリング２４及びダンパー２８により、ドラム６、駆動モータ８及び支持プレート１２が組立てられたアセンブリーが緩衝自在に支持される。
【００３７】
図４は本発明に係るドラム洗濯機の第２実施形態を示した縦断面図で、図示するように、本発明に係るドラム洗濯機の第２実施形態として、洗濯槽４０の両方側壁面に所定長さを有する直線状の直線部４２が形成され、該直線部４２をキャビネット２の両方内側壁にそれぞれ固定するか、又はキャビネット２の両方側壁面と一体に形成し、その他は第１実施形態と同様に構成することもできる。
【００３８】
このように、第２実施形態の洗濯槽４０は、キャビネット２に固定される両方側面がそれぞれ直線状に形成されるため、洗濯槽４０の直径をより大きくすることができる。よって、洗濯槽４０の内部に装着されるドラム６の直径をより増大させることができる。
【００３９】
図５は本発明に係るドラム洗濯機の第３実施形態を示した縦断面図、図６は本発明に係るドラム洗濯機の第３実施形態を示した側断面図、図７は本発明に係るドラム洗濯機の第３実施形態を示した後方断面図である。
【００４０】
図示するように、第３実施形態のドラム洗濯機として、洗濯機の外観をなすキャビネット２と、該キャビネット２と一体に形成されて洗濯水が保存される洗濯槽５０と、該洗濯槽５０の内部に回転自在に装着されて洗濯物の洗濯及び脱水作用を行うドラム６と、洗濯槽５０の後方に位置されて駆動モータ８が軸支される支持プレート１２と、該支持プレート１２とキャビネット２間に装着されて、ドラム６を緩衝自在に支持する支持機構と、を含んで構成される。
【００４１】
洗濯槽５０は、キャビネット２の上方側の前方内側壁と両方内側壁に固定される第１隔壁部５２と、キャビネット２の下方側の前方内側壁と両方内側壁に一体に固定される第２隔壁部５４と、から構成される。
【００４２】
第１隔壁部５２は平板状に形成されて、キャビネット２の上方側の前方面及び両方側面がキャビネット２の内側壁に一体に形成されるか又は固定される。第２隔壁部５４は半円状に形成されて、キャビネット２の下方側の前方面及び両方側面がキャビネット２の内側壁に一体に形成されるか又は固定される。
【００４３】
支持機構は、所定長さを有して支持プレート１２の上方側に連結される複数の上部支持ロッド５６と、それら各上部支持ロッド５６とキャビネット２の上方内側壁間に連結されて緩衝作用を行う各緩衝スプリング５８と、所定長さを有して支持プレート１２の下方側に連結される複数の下部支持ロッド６０と、それら各下部支持ロッド６０とキャビネット２の下方内側壁間に連結されて振動を吸収する各ダンパー６２と、から構成される。
【００４４】
このとき、上部支持ロッド５６は、支持プレート１２の上方側に連結されて、第１隔壁部５２の上方側に位置するように屈曲形成され、その端部には緩衝スプリング５８が連結される。下部支持ロッド６０は、支持プレート１２の下方側に連結されて、第２隔壁部５４の下方側に位置するように屈曲形成され、その端部にはダンパー６２が連結される。
【図面の簡単な説明】
【００４５】
【図１】本発明に係るドラム洗濯機の第１実施形態を示した側断面図である。
【図２】本発明に係るドラム洗濯機の第１実施形態を示した縦断面図である。
【図３】本発明に係るドラム洗濯機の第１実施形態のケーシングの切開状態を示した側面図である。
【図４】本発明に係るドラム洗濯機の第２実施形態を示した縦断面図である。
【図５】本発明に係るドラム洗濯機の第３実施形態を示した縦断面図である。
【図６】本発明に係るドラム洗濯機の第３実施形態を示した側断面図である。
【図７】本発明に係るドラム洗濯機の第３実施形態を示した後方断面図である。
【図８】従来のドラム洗濯機を示した側断面図である。
【図９】従来のドラム洗濯機を示した縦断面図である。
【符号の説明】
【００４６】
２    キャビネット
４    洗濯槽
６    ドラム
８    駆動モータ
１０    ドア
１２    支持プレート
１４    ガスケット
１６    回転軸
２２    上部支持ロッド
２４    緩衝スプリング
２６    下部支持ロッド
２８    ダンパー
３２    液体バランサ
【図１】
2006289127.tif 000003
【図２】
2006289127.tif 000004
【図３】
2006289127.tif 000005
【図４】
2006289127.tif 000006
【図５】
2006289127.tif 000007
【図６】
2006289127.tif 000008
【図７】
2006289127.tif 000009
【図８】
2006289127.tif 000010
【図９】
2006289127.tif 000011